(57)【要約】【課題】浴室空間を広く見せつつ、浴室内での入浴時でも隣の脱衣室が使用可能となる浴室を提供する。【解決手段】四方に立設される壁面１ａ，１ｂ，１ｃに包囲され、脱衣室２側に仕切壁３ａ，３ｂとドア４を備えた浴室であって、壁面１ｂ，１ｃ側に配置される仕切壁３ａ，３ｂはガラス等の透明な素材で形成され、左右の仕切壁３ａ，３ｂの間に設けられるドア４は不透明な素材で形成されている。【選択図】図１
2010001716.tif 000002
【特許請求の範囲】
【請求項１】
四方に立設される壁面のうち隣接する室側を、仕切壁とドアで構成した浴室において、
前記壁面側に配置される前記仕切壁またはドアは透明であり、その間に配置されるドア若しくは仕切壁は不透明であることを特徴とする浴室。
【請求項２】
前記ドアは不透明であって、該ドアは透明な仕切壁の略中央に配置されていることを特徴とする請求項１に記載の浴室。
【発明の詳細な説明】
【技術分野】
【０００１】
本発明は、浴室空間を広く見せつつ、入浴時でも隣接する室を使用できる浴室に関するものである。
【背景技術】
【０００２】
従来、この種の浴室として特許文献１に開示されているようなものがある。
即ち、特許文献１に開示されている浴室は、浴室と隣接する空間との間にガラスの間仕切りを設け、ガラスの間仕切りにより、開放感が得られて、浴室と隣接空間との一体感を演出することができるように構成したものである。
【特許文献１】特開２００７−１０７２３６号公報
【発明の開示】
【発明が解決しようとする課題】
【０００３】
しかしながら、上記特許文献１の浴室構造では、ガラスの間仕切りを介して隣接する空間から浴室内の入浴者が丸見えとなるため、浴室内での入浴中は隣接する空間を使用しにくいという問題点があった。
【課題を解決するための手段】
【０００４】
本発明は、浴室空間を広く見せつつ、入浴時でも隣接する脱衣室等の空間が使用可能となる浴室の提供を目的とし、この目的を達成するために以下の手段を採った。
本発明は、四方に立設される壁面のうち隣接する室側を、仕切壁とドアで構成した浴室において、前記壁面側に配置される前記仕切壁またはドアは透明であり、その間に配置されるドア若しくは仕切壁は不透明であることを要旨とする。
【発明の効果】
【０００５】
浴室と隣室を仕切る仕切壁とドアは、一方が透明であり、他方は不透明であるため、透明な部分を介し浴室空間の開放感および連続感が得られて、浴室空間を広く見せることができ、しかも、不透明な部分により必要以上に浴室内を見せないようにすることができ、入浴時でも隣の脱衣室を使用することが可能となる。
【０００６】
また、本発明の浴室において、前記ドアは不透明であって、該ドアは透明な仕切壁の略中央に配置されている構成とすることもできる。
こうすれば、必要以上に浴室内を見せないように中央に不透明なドアを配置させることができる。一方、ドアの両側の透明な仕切壁により浴室と隣の脱衣室が連続した空間となり、浴室空間を広く見せて開放感が得られるものとなる。
【発明を実施するための最良の形態】
【０００７】
次に、本発明を実施するための最良の形態を実施例を用いて説明する。
図１は、第１実施例の浴室の概略斜視構成図である。
浴室１は平面矩形状に形成され、その外周の三方には壁パネル等が立設されて壁面１ａ，１ｂ，１ｃが形成され、脱衣室２側には、左右の仕切壁３ａ，３ｂと中央部にドア４が配置されている。ドア４は不透明な素材で形成されており、左右の仕切壁３ａ，３ｂは透明または半透明の素材、例えばガラス，アクリル，ポリカーボネート等の素材で形成されている。
【０００８】
このドア４および左右の仕切壁３ａ，３ｂの外周はサッシ５で包囲されており、サッシ５に一体状に左右の仕切壁３ａ，３ｂとドア４が取り付けられている。
なお、ドア４を開けて浴室１内に出入りすることができ、浴室１の壁面１ｂ側に浴槽６が設けられており、壁面１ａ側に水栓７が設けられている。また、壁面１ｃの仕切壁３ａ側にタオル掛け８や棚が設置されている。また、浴室１の壁面１ｃとほぼ面一状に連続する脱衣室２の壁面には洗面器９が設置されている。
【０００９】
このような構成では、左右の仕切壁３ａ，３ｂが透明または半透明の素材で形成されているため、浴室１内から仕切壁３ａ，３ｂを通して脱衣室２側を視認することができ、浴室１と脱衣室２が連続したような開放感が得られて、浴室１の空間を広く見せることができ、また、透明または半透明の仕切壁３ａ，３ｂを通して脱衣室２内の光を浴室１内に取り込むこともでき、明るさを良好に確保できるものとなる。
【００１０】
さらに、中央部には不透明なドア４が設けられて、必要以上に浴室１内が見えないように構成されているため、浴室１内で入浴中であっても脱衣室２内に入り洗面器９等を使用することができる。
また、ドア４は中央部に開閉可能に設けられているため、戸当たりが不要であり、ドア４に干渉することなく壁面１ｃ側にタオル掛け８等を良好に設置して、浴室空間を有効利用することができる。
【００１１】
なお、ドア４と左右の仕切壁３ａ，３ｂはサッシ５内に組み込まれており、ドア４とサッシ５が一体のものに見えて意匠性が良好なものとなり、また、サッシ５があるため、ドア４および左右の仕切壁３ａ，３ｂのシール性を良好に確保することができるものである。
【００１２】
次に、図２は変更例を示すものであり、図２では、浴室１内の壁面１ａに沿って浴槽６が設置されており、浴槽６から壁面１ｂに沿ってカウンター１０が配置され、カウンター１０に水栓等が設けられたものである。
また、浴室内の壁面１ｃ側には、タオル掛け８や棚が設置されている。また、壁面１ｂと連続する脱衣室２側の壁面に洗面器９が設置されている。
その他の構成は図１のものと同様であり、同一部材については同一符号を付してその説明を省略する。
【００１３】
図２においても、透明または半透明の仕切壁３ａ，３ｂを介して浴室１と脱衣室２が連続したような連続感が得られ、浴室空間を広く見せて開放感が得られるものとなり、また、明るさを良好に確保できるものとなる。
さらに中央部のドア４は不透明であるため、必要以上に浴室１内が見えない構造となっており、浴室１内での入浴中においても、脱衣室２内に人が出入りして良好に使用することができるものとなる。特にカウンター１０の前に人が座った場合でも、不透明なドア４によって脱衣室２側から入浴者が見えないため、脱衣室２を有効に使用できる。
【００１４】
次に、図３は第２実施例を示すものであり、図３では、ドア４が浴室の壁面１ｂ側へ開閉できるように構成したものであり、ドア４の左右側には、透明素材で形成した仕切壁３ａ，３ｂが配置されている。
本例では、浴室１の壁面１ａに沿って浴槽６が設置され、壁面１ｃ側に水栓７が設けられており、ドア４の裏側となる壁面１ｂ側にタオル掛け８や棚が設けられている。このようにタオル掛け８や棚がドア４の裏側となる壁面１ｂ側にある場合でも、ドア４が略中央にあるため、ドア４を開けた際に、棚やタオル掛け８にドア４が当たることがなく、壁面１ｂを仕切壁３ｂ側まで有効活用できる。
その他の構成は図１のものと同様であり、同一部材については同一符号を付してその説明を省略する。
【００１５】
なお、図４は、図３のドア４と左右の仕切壁３ａ，３ｂの正面拡大図である。
サッシ５は、上材５ａと下材５ｂと左右の縦材５ｃ，５ｄで方形状に枠組みされ、内側に左右の縦材５ｃ，５ｄと平行状にドア枠材５ｅ，５ｆが一体状に立設されており、ドア枠材５ｆにヒンジ４ａ，４ａを介して開閉可能にドア４が取り付けられている。
このようにサッシのドア枠材５ｅ，５ｆがドア４と一体化して意匠性が向上したものとなっており、しかもドア枠材５ｅ，５ｆ，上材５ａ，下材５ｂに包囲されてドア４のシールを確実なものとすることができるものである。
また、左右の透明素材、例えばガラスで形成された仕切壁３ａ，３ｂにおいても、その外周はサッシに嵌め込まれてシール性を容易に確保することができるものであり、左右の仕切壁３ａ，３ｂのサッシに対する寸法合わせや、サッシ５に対する嵌め込み等の施工もしやすいものとなる。なお、ドア４と上材５ａと下材５ｂと左右の縦材５ｃ，５ｄ、ドア枠材５ｅ，５ｆを同じ色や柄にすることで、これらが一体化して見えるため、より意匠性が向上する。
【００１６】
本例においても、ドア４は不透明な素材で形成されているため、必要以上に浴室１内を見せないように構成されている。しかもドア４の左右側の仕切壁３ａ，３ｂは透明または半透明であるため、浴室１と脱衣室２が連続した広い空間を形成して開放感が得られるものとなる。
【００１７】
次に、図５に要部斜視図で示すものは変更例であり、ドア４と左右の仕切壁３ａ，３ｂの上方に横長状に上仕切壁３ｃを設けたものであり、この上仕切壁３ｃも透明または半透明の素材で形成されたものである。この上仕切壁３ｃは、サッシ５の上材５ａの下方に平行状に横材５ｇが形成されており、この上材５ａと横材５ｇ間に嵌め込み状に取り付けられたものである。
【００１８】
このような構成では、左右の仕切壁３ａ，３ｂと上仕切壁３ｃが透明または半透明であるため、より開放感のある広い浴室空間となり、しかも浴室内に光を広い面積で取り込むことができるものとなる。また、ドア４は不透明素材で形成されているため、このドア４が目隠しとなり、必要以上に浴室１内は見えないように構成されているため、浴室内に入浴中でも脱衣室２を使用できるものとなる。
【００１９】
なお、図６〜図９は、ドア４と左右の仕切壁３ａ，３ｂの配置状態の変更例を示すものである。
図６では、ドア４を中央部より左側に寄せて配置したものであり、右側の仕切壁３ａの面積が広く、左側の仕切壁３ｂの面積が狭く形成されている。なお、ドア４を中央部より右側に寄せても良い。
また、図７は、中央部にドア４が配置され、左右側に透明の仕切壁３ａ，３ｂが配置されたものであるが、ドア４には、透明または半透明の素材を嵌め込んだ方形状の小窓４ｂが縦方向に間隔をおいて３個形成されている。
【００２０】
図８は、中央部に設けられたドア４に縦長状の窓４ｂが形成されたものであり、窓４ｂには透明または半透明の素材が嵌め込まれるものである。
また、図９は、中央部に配置されたドア４に複数の小窓４ｂ，４ｂ，４ｂを設けて、各小窓４ｂに透明または半透明の素材を嵌め込んで構成したものである。
このようにドア４に窓４ｂを形成させておけば、この窓４ｂを介しても明かりを取り込むことができ、開放感が向上することとなる。
【００２１】
なお、本例では、ドア４を不透明なものとし、左右の仕切壁３ａ，３ｂを透明なものとしているが、逆に、ドア４をガラス等の透明素材で形成し、左右の仕切壁３ａ，３ｂを不透明な素材で形成して構成することもできる。
また、ドア４は中央部に限らず、左右の仕切壁３ａ，３ｂの何れかの位置にドア４を配置して構成することもできるし、ドア４は観音開き，折り戸等でも良い。これらのドアの場合も浴室壁に干渉しにくいものとなり、特に、折り戸、観音開きのドア、本実施例のドア４の順に浴室壁に干渉しにくい。
【図面の簡単な説明】
【００２２】
【図１】第１実施例の浴室の概略斜視構成図である。
【図２】第１実施例の変更例を示す浴室の概略斜視構成図である。
【図３】第２実施例の浴室の概略斜視構成図である。
【図４】図３の浴室のドアと仕切壁の正面拡大図である。
【図５】ドアと仕切壁の変更パターンを示す要部斜視構成図である。
【図６】ドアと仕切壁の変更パターンを示す正面構成図である。
【図７】ドアの変形例を示す正面構成図である。
【図８】ドアの変更例を示す正面構成図である。
【図９】更に異なるドアの変更例を示す正面構成図である。
【符号の説明】
【００２３】
１  浴室
１ａ，１ｂ，１ｃ  壁面
２  脱衣室（隣室）
３ａ，３ｂ，３ｃ  仕切壁
４  ドア
４ａ  ヒンジ
４ｂ  窓
５  サッシ
５ａ  上材
５ｃ，５ｄ  縦材
５ｅ，５ｆ  ドア枠材
５ｇ  横材
６  浴槽
７  水栓
８  タオル掛け
【図１】
2010001716.tif 000003
【図２】
2010001716.tif 000004
【図３】
2010001716.tif 000005
【図４】
2010001716.tif 000006
【図５】
2010001716.tif 000007
【図６】
2010001716.tif 000008
【図７】
2010001716.tif 000009
【図８】
2010001716.tif 000010
【図９】
2010001716.tif 000011